【手続補正書】
【提出日】平成15年6月26日(2003.6.26)
【手続補正１】
【補正対象書類名】明細書
【補正対象項目名】全文
【補正方法】変更
【補正の内容】
【発明の名称】シートフレーム
【特許請求の範囲】
【請求項１】左右一対の側部フレーム４と上部フレーム３と下部フレーム５により四角枠形状に形成した車両用シートの背凭シートの骨格フレームにおいて、前記側部フレーム４と前記下部フレーム５の間には側部フレーム４側が高く内側に至るに従い低くなるように傾斜した補強フレーム部１５を設けたシートフレーム。
【請求項２】請求項１において、前記補強フレーム部１５の上部は前記側部フレーム４の縦板部１１の前後中間位置に固定したシートフレーム。
【請求項３】請求項１または請求項２において、前記側部フレーム４の側部外面にはアームレスト２０のアームレスト取付用ブラケット２１を設け、前記補強フレーム部１５の上部は前記アームレスト取付用ブラケット２１と一部または全部が重合するように固定したシートフレーム。
【発明の詳細な説明】
【０００１】
【産業上の利用分野】
本発明は、シートフレームに係るものである。
【０００２】
【従来技術】
従来公知の特開平１０−１１９６１９号公報には、左右一対の側部フレームと上部フレームと下部フレームにより四角枠形状に形成した車両用シートの背凭シートの骨格フレームについて記載されている。
【０００３】
【発明が解決しようとする課題】
前記公知例は、シートの一部に荷重が掛ったとき等に発生する捻じれのモーメントに弱いという課題がある。
即ち、一方部分に荷重が掛ると他方部分が反対方向に動くので捻じれのモーメントが発生し、全体が歪むことになる。
本発明は、簡単な構成で前記課題を解決するもので、特に、アームレストを設けたシートの場合有効となるようにしたものである。
【０００４】
【発明の目的】
フレームの軽量化、フレームの高剛性化、構成の簡素化、低コスト化。
【０００５】
【課題を解決するための手段】
本発明は、左右一対の側部フレーム４と上部フレーム３と下部フレーム５により四角枠形状に形成した車両用シートの背凭シートの骨格フレームにおいて、前記側部フレーム４と前記下部フレーム５の間には側部フレーム４側が高く内側に至るに従い低くなるように傾斜した補強フレーム部１５を設けたシートフレームとしたものである。
本発明は、前記補強フレーム部１５の上部は前記側部フレーム４の縦板部１１の前後中間位置に固定したシートフレームとしたものである。
本発明は、前記側部フレーム４の側部外面にはアームレスト２０のアームレスト取付用ブラケット２１を設け、前記補強フレーム部１５の上部は前記アームレスト取付用ブラケット２１と一部または全部が重合するように固定したシートフレームとしたものである。
【０００６】
【実施例】
本発明の一実施例を図面により説明すると、１は車両用シートの背凭シートの骨格フレームであり、骨格フレーム１は、ヘッドレストのピラーを装着する支持機構２を有する上部フレーム３を設け、上部フレーム３の左右両側には側部フレーム４を設け、該側部フレーム４の下部は左右方向の下部フレーム５により連結する。したがって、骨格フレーム１は、上部フレーム３と側部フレーム４と下部フレーム５により正面視四角枠形状に形成する。
【０００７】
前記側部フレーム４の下部にはリクライニング装置等を取付けるブラケット６を固定する。
前記側部フレーム４は、縦の後板部１０および縦板部１１により断面Ｌ型形状に形成し、左右の後板部１０には左右方向のバネ体１２を上下に複数並設して両者を連結して着座者を支持する。
【０００８】
しかして、前記側部フレーム４と前記下部フレーム５の間には補強フレーム部部１５を設ける。補強フレーム部１５は、筒部材１６により形成し、その上部は前記側部フレーム４の縦板部１１と略並行の板状の板部１７に形成し、該板部１７は前記縦板部１１の前後中間位置に固定する。補強フレーム部１５の下部は、前記側部フレーム４から所定距離内側に位置する下部フレーム５に固定する。
したがって、補強フレーム部１５は、側部フレーム４側が高く内側に至るに従い低くなるように構成する。
【０００９】
しかして、前記側部フレーム４の側部所定位置には、アームレスト２０を設ける。アームレスト２０は公知のものであり、側部フレーム４の外面にアームレスト取付用ブラケット２１を固定し、該アームレスト取付用ブラケット２１に左右方向の横軸２２により回動自在に軸装し、アームレスト２０内に設けた調節機構（図示省略）により先端が上下して、所望位置でロックされるように構成する。
【００１０】
そして、アームレスト２０を設けた場合の補強フレーム部１５の上部は、側面視前記アームレスト取付用ブラケット２１と一部または全部が重合するように固定する。
【００１１】
【作用】
次に作用を述べる。
左右の側部フレーム４の上部に上部フレーム３を、下部に下部フレーム５を夫々固定し、左右の側部フレーム４に左右方向のバネ体１２を上下に複数並設して骨格フレーム１を構成する。
【００１２】
しかして、側部フレーム４と下部フレーム５の間には補強フレーム部１５を設けているから、上部フレーム３と側部フレーム４と下部フレーム５により正面視四角枠形状に形成した骨格フレーム１であっても、側部フレーム４に掛る荷重は補強フレーム部１５を介して下部フレーム５に作用し、補強フレーム部１５と下部フレーム５により支持され、それゆえ、荷重は強固に支持され、軽量に構成しつつ捻じれ荷重にも対応し、全体の剛性を向上させる。
【００１３】
この場合、補強フレーム部１５は筒部材１６により形成しているから、いろいろな方向からの荷重を支持でき、捻じれ荷重にも対応し、全体の剛性を向上させる。
即ち、上部フレーム３の左右何れか一方に前方に向けて荷重が係ると、側部フレーム４の上部は前方に下部は後方移動するように作用するが、側部フレーム４に掛る荷重は補強フレーム部１５を介して下部フレーム５に作用し、側部フレーム４と補強フレーム部１５と下部フレーム５との三角形部分で荷重を支持するから、捻じれ荷重にも対応し、全体の剛性を向上させる。
【００１４】
しかして、補強フレーム部１５の上部は前記側部フレーム４の縦板部１１と略並行の板状の縦部板部１７に形成し、該板部１７は前記縦板部１１の前後中間位置に固定しているから、縦板部１１の前縁と後縁とが捻じれようとしても、これを支持する。したがって、補強フレーム部１５と側部フレーム４と相俟って捻じれ荷重にも対応し、全体の剛性を向上させる。
【００１５】
また、補強フレーム部１５の下部は、前記側部フレーム４から所定距離内側に位置する下部フレーム５に固定し、補強フレーム部１５は、側部フレーム４側が高く内側に至るに従い低くなるように構成しているから、側部フレーム４が下部フレーム５に向かって内側に倒れ込む荷重に対しても、補強フレーム部１５は確実に支持する。
【００１６】
しかして、前記左右の側部フレーム４の両方またはいずれか一方にアームレスト取付用ブラケット２１を設け、該アームレスト取付用ブラケット２１に横軸２２によりアームレスト２０を設け、アームレスト２０を設けた場合の前記補強フレーム部１５の上部は、側面視前記アームレスト取付用ブラケット２１と一部または全部が重合するように固定しているから、アームレスト２０によって荷重が掛る最も近い部分を補強フレーム部１５が支持するので、支持を確実にし、全体の剛性を向上させる。
【００１７】
即ち、アームレスト２０により側部フレーム４に垂直方向に荷重が掛かるが、補強フレーム部１５と下部フレーム５により支持される。
また、アームレスト２０は、その基部を骨格フレーム１に片持状態に取付けるので、先端は自由端になって左右に振れる方向に荷重が掛かり、この左右方向に振る荷重は側部フレーム４を捩じるように作用するが、これも補強フレーム部１５と下部フレーム５により支持して、捩じりを防止する。
【００１８】
即ち、補強フレーム部１５は側部フレーム４の縦板部１１の前後中間位置に固定しているから、アームレスト２０の先端の左右振れによって横軸２２が側部フレーム４を捩じろうとするのを補強フレーム部１５の前後幅によって、阻止して捻じれを防止する。
【００１９】
特に、補強フレーム部１５は、側面視補強フレーム部１５と側部フレーム４との固定部は前記アームレスト取付用ブラケット２１と重合さているから、アームレスト取付用ブラケット２１により強度が向上している部分の側部フレーム４に補強フレーム部１５を固定することになって、側部フレーム４と下部フレーム５の連結強度を向上させ、一層強固に支持される。また、補強フレーム部１５の上部はアームレスト２０の取付部近傍に位置するから、モーメント作用を受けにくくでき、強固に支持する。
【００２０】
したがって、四角枠形状に形成した骨格フレーム１の全体の剛性を向上させ、かつ、アームレスト２０にかかる荷重までも支持し得る最も効率のよい合理的配置となる。
【００２１】
【効果】
本発明は、左右一対の側部フレーム４と上部フレーム３と下部フレーム５により四角枠形状に形成した車両用シートの背凭シートの骨格フレームにおいて、前記側部フレーム４と前記下部フレーム５の間には側部フレーム４側が高く内側に至るに従い低くなるように傾斜した補強フレーム部１５を設けたシートフレームとしたものであるから、荷重は強固に支持され、軽量に構成しつつ捻じれ荷重にも対応し、全体の剛性を向上させる。
本発明は、前記補強フレーム部１５の上部は前記側部フレーム４の縦板部１１の前後中間位置に固定したシートフレームとしたものであるから、補強フレーム部１５と側部フレーム４と相俟って捻じれ荷重に対応し、全体の剛性を向上させる。
本発明は、前記側部フレーム４の側部外面にはアームレスト２０のアームレスト取付用ブラケット２１を設け、前記補強フレーム部１５の上部は前記アームレスト取付用ブラケット２１と一部または全部が重合するように固定したシートフレームとしたものであるから、アームレスト取付用ブラケット２１により強度が向上している部分の側部フレーム４に補強フレーム部１５を固定することになって、側部フレーム４と下部フレーム５の連結強度を向上させ、一層強固に支持される。
【図面の簡単な説明】
【図１】フレームの一部斜視図。
【図２】補強フレーム部の取付部分の斜視図。
【図３】フレームの一部正面図。
【図４】フレームの一部側面図。
【符号の説明】
１…骨格フレーム、２…支持機構、３…上部フレーム、４…側部フレーム、５…下部フレーム、６…ブラケット、１０…後板部、１１…縦板部、１２…バネ体、１５…補強フレーム部、１６…筒部材、１７…板部、２０…アームレスト、２１…アームレスト取付用ブラケット、２２…横軸。
【手続補正２】
【補正対象書類名】図面
【補正対象項目名】図５
【補正方法】削除
【補正の内容】
【手続補正３】
【補正対象書類名】図面
【補正対象項目名】図６
【補正方法】削除
【補正の内容】
【手続補正４】
【補正対象書類名】図面
【補正対象項目名】図７
【補正方法】削除
【補正の内容】
【手続補正５】
【補正対象書類名】図面
【補正対象項目名】図８
【補正方法】削除
【補正の内容】
【手続補正６】
【補正対象書類名】図面
【補正対象項目名】図９
【補正方法】削除
【補正の内容】
【手続補正７】
【補正対象書類名】図面
【補正対象項目名】図１０
【補正方法】削除
【補正の内容】
【手続補正８】
【補正対象書類名】図面
【補正対象項目名】図１１
【補正方法】削除
【補正の内容】